(57)【要約】  厚み方向において前面に突出する表示パネルを、盤面の内面側より盤面の開口部に嵌め込んで取り付ける表示器（１０）の盤面取り付け構造であって、表示器（１０）の側面および盤面の内面に介在させる取り付け部は、表示器（１０）の厚み方向に延伸した第１長孔（３１１）を有して表示器（１０）の側面に固定される第１固定部（３１）と、該第１固定部（３１）から延設された第２固定部（３２）とを有する。そして、表示器（１０）の盤面取り付け構造は、第１長孔（３１１）を挿通するネジ（４０）により表示器（１０）の側面と第１固定部（３１）とを固定する際に、盤面の開口部に対する表示パネルの、表示器（１０）の厚み方向の位置の調整を可能とする。
2017094127.tif 000002
【特許請求の範囲】
【請求項１】
厚み方向において前面に突出する表示パネルを、盤面の内面側より前記盤面の開口部に嵌め込んで取り付ける表示器の盤面取り付け構造であって、
前記表示器の側面および前記盤面の内面に介在させる取り付け部は、前記表示器の厚み方向に延伸した長穴を有して前記表示器の側面に固定される第１固定部と、該第１固定部から延設された第２固定部とを有し、
前記長穴を挿通する螺合部材により前記表示器の側面と前記第１固定部とを固定する際に、前記盤面の開口部に対する前記表示パネルの、前記表示器の厚み方向の位置の調整を可能とすること、
を特徴とする表示器の盤面取り付け構造。
【請求項２】
前記表示器の側面に設けられた側面孔および前記長孔における長手方向の端部に前記螺合部材が挿通されて固定されており、且つ既定の厚みを有する前記盤面に前記第２固定部が固定された状態で、前記開口部に嵌め込まれた前記表示パネルの表示面と前記盤面の外面とが同一平面上にあること、
を特徴とする請求項１に記載の表示器の盤面取り付け構造。
【請求項３】
前記表示器の厚み方向における異なる位置に前記端部を有する複数の前記長孔を備えること、
を特徴とする請求項２に記載の表示器の盤面取り付け構造。
【請求項４】
前記表示器の厚み方向における前記第１固定部の位置を識別するための印を前記表示器の側面および前記第１固定部に備えること、
を特徴とする請求項１から３のいずれか１つに記載の表示器の盤面取り付け構造。
【請求項５】
前記長孔が、前記表示器の厚み方向と交差する方向に伸長していること、
を特徴とする請求項１から３のいずれか１つに記載の表示器の盤面取り付け構造。
【請求項６】
厚み方向において前面に突出する表示パネルを盤面の内面側より盤面の開口部に嵌め込んで、前記表示器の側面および前記盤面の内面に介在させる取り付け部により取り付ける表示器の盤面取り付け方法であって、
前記取り付け部において前記表示器の厚み方向に延伸した長穴を有して前記表示器の側面に固定される第１固定部の前記長孔および前記表示器の側面に設けられた側面孔に螺合部材を挿通して前記第１固定部を前記表示器の側面に固定する第１工程と、
前記取り付け部において前記盤面の内面に固定される盤面固定部を有して前記第１固定部から延設された第２固定部を前記盤面の内面に固定する第２工程と、
を含み、
前記第１工程において前記長穴を挿通する螺合部材により前記表示器の側面と前記第１固定部とを固定する際に、前記盤面の開口部に対する前記表示パネルの、前記表示器の厚み方向の位置の調整を行うこと、
を特徴とする表示器の盤面取り付け方法。
【請求項７】
前記表示器の側面に設けられた前記側面孔および前記長孔における端部に前記螺合部材が挿通されて前記第１固定部と前記側面とが当接した状態で固定され、且つ既定の厚みを有する前記盤面に前記第２固定部が固定された状態で、前記表示パネルの表示面と前記盤面の外面とが同一平面上にある位置に、前記長孔における端部が設けられており、
前記第１工程では、前記長孔における端部に前記螺合部材を挿通すること、
を特徴とする請求項６に記載の表示器の盤面取り付け方法。
【請求項８】
前記第１工程は、
面方向において前記表示パネルを包含する開口部を有して板状に構成されて前記盤面と同じ厚みを有する挿通位置調整部品を平坦面上に配置する第３工程と、
前記表示パネルの表示面を前記盤面の開口部に嵌め込んで、前記表示パネルの表示面を前記盤面の開口部内において前記平坦面に当接させる第４工程と、
前記第１固定部を前記表示器の側面に当接させ、且つ前記第２固定部の下面を前記挿通位置調整部品の上面に当接させて前記取り付け部を配置し、前記取り付け部における長孔および前記側面孔に前記螺合部材を挿通して前記第１固定部を前記表示器の側面に固定する第５工程と、
を有することを特徴とする請求項６に記載の表示器の盤面取り付け方法。
【請求項９】
前記挿通位置調整部品は、複数のシート状積層部材が積層された積層構造を有し、
前記第３工程では、前記シート状積層部材を剥がすことにより前記挿通位置調整部品の厚みを調整すること、
を有することを特徴とする請求項８に記載の表示器の盤面取り付け方法。
【発明の詳細な説明】
【技術分野】
【０００１】
本発明は、操作盤の盤面の開口部に表示器を取り付ける表示器の盤面取り付け構造および表示器の盤面取り付け方法に関する。
【背景技術】
【０００２】
従来、表示器の表示面を操作盤の盤面に一致させて取り付けた構造の操作盤が用いられている。たとえば非特許文献１には、表示器の前面に配置された液晶パネルが盤面の背面側から盤面の開口部に嵌め込まれ、液晶パネルの表示面が盤面の外面と同一平面上に配置された状態で、Ｌ字形状の取り付け部により表示器と盤面とが固定されたプログラマブル表示器が示されている。
【先行技術文献】
【非特許文献】
【０００３】
【非特許文献１】株式会社デジタル、ホームページ、［online］、［平成２７年１１月１８日検索］、インターネット〈URL：http://jpn.proface.co.jp/product/hmi/gp4000r/index.html〉
【発明の概要】
【発明が解決しようとする課題】
【０００４】
一方、表示器が取り付けられる操作盤の盤面の厚みはメーカによって様々である。この場合、取り付け部において表示器に固定される部分に設けられてネジが挿通される孔が丸孔である場合には、表示器を盤面に対して前後方向に動かすことができない。このため、１種類の取り付け部を用いて液晶パネルの表示面を盤面の外面と同一平面上に配置できる盤面の厚みは、１種類に限定される。しかしながら、１種類の取り付け部を用いて、異なる厚みの盤面に対して液晶パネルの表示面の位置を調整することが望まれている。【０００５】
本発明は、上記に鑑みてなされたものであって、表示器が取り付けられる盤面の厚みが異なる複数の操作盤に対して取り付け位置を調整して表示器を取り付け可能な表示器の盤面取り付け構造を得ることを目的とする。
【課題を解決するための手段】
【０００６】
上述した課題を解決し、目的を達成するために、本発明にかかる表示器の盤面取り付け構造は、厚み方向において前面に突出する表示パネルを、盤面の内面側より盤面の開口部に嵌め込んで取り付ける表示器の盤面取り付け構造であって、表示器の側面および盤面の内面に介在させる取り付け部は、表示器の厚み方向に延伸した長穴を有して表示器の側面に固定される第１固定部と、該第１固定部から延設された第２固定部とを有する。そして、表示器の盤面取り付け構造は、長穴を挿通する螺合部材により表示器の側面と第１固定部とを固定する際に、開口部に対する表示パネルの盤面の、表示器の厚み方向の位置の調整を可能とする。
【発明の効果】
【０００７】
本発明にかかる表示器の盤面取り付け構造は、表示器が取り付けられる盤面の厚みが異なる複数の操作盤に対して取り付け位置を調整して表示器を取り付け可能になる、という効果を奏する。
【図面の簡単な説明】
【０００８】
【図１】本発明の実施の形態１にかかる表示器の盤面取り付け構造により表示器が取り付けられた操作盤を模式的に示す斜視図
【図２】本発明の実施の形態１にかかる操作盤の操作盤前面に表示器が取り付けられた状態を模式的に示す平面図であり、操作盤前面を背面側から見た状態を示す図
【図３】本実施の形態１にかかる表示器と取り付け部との取り付け構造を説明するための分解斜視図
【図４】本実施の形態１にかかる表示器と操作盤との取り付け構造を説明するための分解斜視図
【図５】本発明の実施の形態１にかかる操作盤の操作盤前面に表示器が取り付けられた状態を模式的に示す側面図
【図６】本発明の実施の形態１にかかる表示器を表示器の前面側から見た平面図
【図７】本発明の実施の形態１にかかる表示器の側面図
【図８】本発明の実施の形態１にかかる操作盤の前面板を内面側から見た平面図
【図９】本発明の実施の形態１にかかる取り付け部の側面図
【図１０】本発明の実施の形態１にかかる取り付け部の上面図
【図１１】本発明の実施の形態１における表示器と取り付け部との固定部の拡大斜視図
【図１２】本発明の実施の形態２における表示器の取り付け側面と取り付け部の第１固定部との固定部の拡大図
【図１３】本発明の実施の形態３における第３長孔が形成された第１固定部の拡大図
【図１４】本発明の実施の形態３における第４長孔が形成された第１固定部の拡大図
【図１５】本発明の実施の形態４にかかる型紙を使用した表示器への取り付け部の位置合わせを模式的に示す側面図
【図１６】本発明の実施の形態４にかかる型紙の平面図
【発明を実施するための形態】
【０００９】
以下に、本発明の実施の形態にかかる表示器の盤面取り付け構造および表示器の盤面取り付け方法を図面に基づいて詳細に説明する。なお、この実施の形態によりこの発明が限定されるものではない。
【００１０】
実施の形態１．
図１は、本発明の実施の形態１にかかる表示器の盤面取り付け構造により表示器１０が取り付けられた操作盤２０を模式的に示す斜視図である。図１においては、紙面手前側が操作盤２０における操作盤前面側、紙面奥側が操作盤２０における操作盤背面側とされている。図２は、本発明の実施の形態１にかかる操作盤２０の操作盤前面に表示器１０が取り付けられた状態を模式的に示す平面図であり、操作盤前面を背面側から見た状態を示す図である。図３は、本実施の形態１にかかる表示器１０と取り付け部３０との取り付け構造を説明するための分解斜視図である。図４は、本実施の形態１にかかる表示器１０と操作盤２０との取り付け構造を説明するための分解斜視図である。図３および図４においては、表示器１０の背面板１０ｂ側から見た状態を示している。図５は、本発明の実施の形態１にかかる操作盤２０の操作盤前面に表示器１０が取り付けられた状態を模式的に示す側面図である。
【００１１】
実施の形態１にかかる表示器の盤面取り付け構造は、前面に表示パネル１１が突出して設けられた表示器１０を、表示パネル１１を操作盤２０の前面板２０ａの開口部２１に嵌め込んで取り付けるための構造であり、表示器１０および操作盤２０に加え、表示器１０と操作盤２０とを固定する取り付け部３０を有する。操作盤２０の筐体は、直方体形状を有する。操作盤２０の直方体形状を構成する６面のうち、図１の紙面手前側の操作盤の前面板２０ａが、表示器１０が取り付けられた盤面とされている。表示器１０は、取り付け部３０とネジ４０とナット５０とを用いて操作盤２０に固定されている。表示器１０は、前面１０ａおよび背面板１０ｂが操作盤２０の前面板２０ａと平行な面とされて、且つ表示パネル１１の表示面である表示パネル１１の前面１１ａが操作盤２０の前面板２０ａの外面と同一平面上に配置されている。すなわち、表示器１０は、表示パネル１１の表示面と盤面の外面とが面一とされ、すなわち表示パネル１１の表示面と盤面の外面とが同一平面上に位置し、表示パネル１１が操作盤２０の前面に露出した状態で操作盤２０に固定されている。
【００１２】
まず、表示器１０の構成について説明する。図６は、本実施の形態１にかかる表示器１０を表示器１０の前面１０ａ側から見た平面図である。図７は、本発明の実施の形態１にかかる表示器１０の側面図である。図７では、表示器１０を上方に位置する側面側から見た状態を示している。表示器１０は、直方体形状を有する。表示器１０の前面１０ａには、矩形の板状を有する表示部である表示パネル１１が表示器１０の厚み方向において前面１０ａから突出して設けられている。表示器１０の厚み方向は、操作盤２０の前後方向に対応している。
【００１３】
表示器１０における対向する一対の側面である側面１０ｃおよび側面１０ｄには、図３に示すように、表示器１０と取り付け部３０とを固定するための螺合部材であるネジ４０が挿入される側面孔である側面ネジ孔１２が穿設されている。すなわち、表示器１０における側面１０ｃおよび側面１０ｄは、側面ネジ孔１２が形成されて取り付け部３０が取り付けられる取り付け側面である。側面１０ｃにおいて、側面ネジ孔１２は、側面１０ｃの長手方向における一端側の端部近傍領域と他端側の端部近傍領域との前面１０ａ側に、１つずつ形成されている。同様に、側面１０ｄにおいて、側面ネジ孔１２は、側面１０ｄの長手方向における一端側の端部近傍領域と他端側の端部近傍領域との前面１０ａ側に、それぞれに１つずつ形成されている。
【００１４】
つぎに、操作盤２０の構成について説明する。図８は、本発明の実施の形態１にかかる操作盤２０の前面板２０ａを背面側、すなわち前面板２０ａの内面側から見た平面図である。操作盤２０の筐体を構成する６面は、金属板により構成されている。操作盤２０の前面板２０ａは、前後方向において貫通した開口部２１を有する。開口部２１には、表示器１０の前面側に配置された表示パネル１１が前面板２０ａにおける背面側から嵌め込まれる。すなわち、開口部２１に表示パネル１１が嵌め込まれることにより、表示パネル１１が前面側から視認可能とされる。
【００１５】
開口部２１は、表示パネル１１の面方向における外形形状および外形寸法に合わせた開口形状および開口寸法を有する。本実施の形態１では、表示パネル１１の外形形状は長方形状とされている。したがって、開口部２１の開口形状は、表示パネル１１の外形形状に合わせた長方形状の角穴とされている。
【００１６】
操作盤２０の前面板２０ａの内面には、取り付け部３０を固定するための盤面固定部である複数の雄ネジ２２が、前面板２０ａの内面から該前面板２０ａと垂直な方向に後側に突出して設けられている。雄ネジ２２は、前面板２０ａの内面において、前面板２０ａにおいて開口部２１に対向する一対の辺と、開口部２１との間の領域に固定されている。雄ネジ２２は、開口部２１を挟んで対称な位置に配置されている。本実施の形態１では、前面板２０ａの内面において、開口部２１を挟んで対称な領域に、それぞれ２つの雄ネジ２２が既定の間隔で配置されている。したがって、開口部２１を挟んで対称な領域のそれぞれにおいて、２つの雄ネジ２２間の既定の間隔は同じである。
【００１７】
つぎに、取り付け部３０の構成について説明する。図９は、本発明の実施の形態１にかかる取り付け部３０の側面図である。図１０は、本発明の実施の形態１にかかる取り付け部３０の上面図である。図１１は、本発明の実施の形態１における表示器１０と取り付け部３０との固定部の拡大斜視図である。取り付け部３０は、操作盤２０の前面板２０ａに表示器１０を固定するための部品であり、金属材料により構成されている。取り付け部３０は、細長形状を有する帯状の第１固定部３１と細長形状を有する帯状の第２固定部３２とを備えた断面Ｌ字形状を有する。第２固定部３２は、第１固定部３１において長手方向に沿った一辺部から表示パネル１１の面方向に沿って外側に延設されている。
【００１８】
第１固定部３１は、表示器１０の取り付け側面に固定されている。第２固定部３２は、操作盤２０の前面板２０ａの内面に固定されている。第１固定部３１および第２固定部３２の長手方向の長さは、表示器１０における取り付け側面の長さと同等の長さ、または取り付け側面の長さよりも短い長さとされている。第１固定部３１および第２固定部３２の幅は、表示器１０の厚みよりも短い長さとされている。
【００１９】
第１固定部３１には、表示器１０への取り付け部３０の固定において第１固定部３１と表示器１０とを固定するためのネジ４０が挿通される複数のネジ孔が穿設されている。そして、第１固定部３１には、表示器１０の取り付け側面の長手方向において側面ネジ孔１２の穿設位置が互いに異なる２種類の表示器１０のいずれも固定可能とするために、あらかじめ複数対のネジ孔が穿設されている。
【００２０】
すなわち、本実施の形態１では、第１固定部３１は、長さ方向における一端側の端部近傍および他端側の端部近傍に、複数のネジ孔として貫通孔である第１長孔３１１を有する。本実施の形態１では、第１固定部３１は、一対の第１長孔３１１を有する。一対の第１長孔３１１は、第１固定部３１の長さ方向において既定の間隔で形成されている。一対の第１長孔３１１間の既定の間隔は、表示器１０の取り付け側面に設けられた２つの側面ネジ孔１２間の間隔と同じである。
【００２１】
また、第１固定部３１は、長さ方向における一端側の端部近傍および他端側の端部近傍に、一対のネジ孔として貫通孔である第２長孔３１２を有する。本実施の形態１では、第１固定部３１は、一対の第２長孔３１２を有する。第２長孔３１２は、第１固定部３１の短手方向に沿った方向において、開口長さが第１長孔３１１と同じにされているが、配置位置が異なる。すなわち、第２長孔３１２は、第１固定部３１の短手方向に沿った方向において第１長孔３１１よりも第２固定部３２から離れて配置されている。
【００２２】
第１固定部３１の長さ方向において、一対の第２長孔３１２の配置間隔は、一対の第１長孔３１１の配置間隔と同じである。すなわち、一対の第２長孔３１２間の既定の間隔は、表示器１０の取り付け側面に設けられた２つの側面ネジ孔１２間の間隔と同じである。ここで、一端側の端部近傍に設けられた第２長孔３１２は、第１固定部３１の長さ方向において、一端側の端部近傍に設けられた第１長孔３１１よりも中央側に配置されている。また、他端側の端部近傍に設けられた第２長孔３１２は、第１固定部３１の長さ方向において、他端側の端部近傍に設けられた第１長孔３１１よりも端部側に配置されている。
【００２３】
図３に示すように、表示器１０と２つの取り付け部３０とは、表示器１０の側面に穿設された側面ネジ孔１２と取り付け部３０に穿設された第１長孔３１１にネジ４０を挿通させて固定されている。すなわち、一方の取り付け部３０の第１固定部３１は、ネジ４０により表示器１０の側面１０ｃにネジ止めされている。他方の取り付け部３０の第１固定部３１は、ネジ４０を介して表示器１０の側面１０ｄにネジ止めされている。
【００２４】
ここで、第１長孔３１１は、前後方向、すなわち表示器１０の厚み方向に伸長する長孔とされている。すなわち、第１長孔３１１は、第１固定部３１の短手方向に沿った方向に伸長する長孔とされている。このため、取り付け部３０を表示器１０に取り付ける際に、第１長孔３１１の長手方向の範囲内で、ネジ４０を挿通する位置を変化させることができる。これにより、操作盤２０の前後方向において、第１長孔３１１の長手方向の範囲内で表示器１０と取り付け部３０との位置関係を変化させて、表示器１０を操作盤２０の前面板２０ａに固定することができる。すなわち、第１長孔３１１にネジ４０を挿通する位置を変化させることで、操作盤２０の前後方向において表示パネル１１の表示面の位置を調整することができる。すなわち、第１長孔３１１にネジ４０を挿通する位置を変化させることで、前面板２０ａの開口部２１に対する表示パネル１１の、表示器１０の厚み方向の位置の調整が可能とされる。したがって、取り付け部３０を用いて表示器１０を操作盤２０に固定することにより、前面板２０ａの厚みの異なる複数種類の操作盤２０に対して、表示パネル１１の表示面と操作盤２０の盤面である前面板２０ａの外面とを同一平面上に位置させて表示器１０を固定することが可能である。
【００２５】
また、第１長孔３１１は、第１長孔３１１の長手方向における端部においてネジ４０を挿通した状態で表示器１０と操作盤２０とを固定した場合に、前面板２０ａの厚みが取り付け部３０に対して予め設定された既定の厚みである特定の操作盤２０に対して、表示パネル１１の表示面と前面板２０ａの外面とが同一平面上に配置されている。これにより、第１長孔３１１の長手方向における端部においてネジ４０を挿通して表示器１０と特定の操作盤２０とを固定することにより、表示パネル１１の表示面と前面板２０ａの外面とを同一平面上に位置させるために第１長孔３１１内におけるネジ４０を挿通する位置をずらす微調整を行うことなく、表示パネル１１の表示面と前面板２０ａの外面とを同一平面上に位置させることができる。これにより、表示パネル１１の表示面と前面板２０ａの外面とを同一平面上に位置させるための調整作業が不要となり、表示器１０と操作盤２０との固定作業が容易になる。
【００２６】
ここで、第１長孔３１１の長手方向における端部は２箇所ある。したがって、既定の厚みは、１個の第１長孔３１１に対して２種類設定可能である。本実施の形態１では、第１長孔３１１と第２長孔３１２とは、第１固定部３１の短手方向に沿った方向における長さが同じにされているが、配置位置が異なる。このため、本実施の形態１では、既定の厚みは、４種類設定可能である。したがって、前面板２０ａの厚みが異なる４種類の特定の操作盤２０に対して、第１長孔３１１内におけるネジ４０を挿通する位置を調整することなく、表示パネル１１の表示面と前面板２０ａの外面とを同一平面上に位置させることができる。
【００２７】
第２固定部３２には、雄ネジ２２が挿通される複数のネジ孔が穿設されている。そして、第２固定部３２には、第２固定部３２の長手方向において雄ネジ２２の配置位置が互いに異なる２種類の盤面のいずれも固定可能とするために、あらかじめ複数対のネジ孔が穿設されている。
【００２８】
すなわち、本実施の形態１では、第２固定部３２は、長さ方向における一端側の端部近傍および他端側の端部近傍に、一対のネジ孔である第１丸孔３２１を有する。一対の第１丸孔３２１は、第２固定部３２の長さ方向において、既定の間隔で形成されている。一対の第１丸孔３２１間の既定の間隔は、操作盤２０の前面板２０ａの内面に設けられた２つの雄ネジ２２間の既定の間隔と同じである。すなわち、第１丸孔３２１は、第１長孔３１１と同一個数および同一間隔で穿設されている。
【００２９】
また、第２固定部３２は、長さ方向における一端側の端部近傍および他端側の端部近傍に、一対のネジ孔である第１丸孔３２２を有する。一対の第２丸孔３２２は、第２固定部３２の長さ方向において、一対の第１丸孔３２１間の間隔と同じ既定の間隔で形成されている。第２固定部３２の長さ方向において、一対の第２丸孔３２２の配置間隔および一対の第１丸孔３２１の配置間隔は、操作盤２０の前面板２０ａの内面に設けられた一対の雄ネジ２２の配置間隔と同じである。すなわち、第２丸孔３２２は、第１長孔３１１と同一個数および同一間隔で穿設されている。
【００３０】
図４に示すように、操作盤２０と２つの取り付け部３０とは、取り付け部３０に穿設された第１丸孔３２１に操作盤２０の前面板２０ａの内面に設けられた雄ネジ２２を挿通させ、雄ネジ２２にナット５０を締めることで固定されている。すなわち、一方および他方の取り付け部３０の第２固定部３２は、雄ネジ２２により操作盤２０の前面板２０ａの内面にネジ止めされている。したがって、第１固定部３１が表示器１０の取り付け側面に固定され、第２固定部３２が盤面に固定されることにより、表示器１０が操作盤２０の前面板２０ａの内面に固定されている。
【００３１】
雄ネジ２２は、第１固定部３１においてネジ４０が挿通された長孔に対応する丸孔に挿通される。第２固定部３２において、第１固定部３１の第１長孔３１１に対応する丸孔は、第１丸孔３２１である。第２固定部３２において、第１固定部３１の第２長孔３１２に対応する丸孔は、第２丸孔３２２である。本実施の形態１では、ネジ４０が挿通された第１長孔３１１に対応する第１丸孔３２１に雄ネジ２２が挿通される。
【００３２】
つぎに、実施の形態１における取り付け部３０を介した表示器１０の操作盤２０の前面板２０ａへの取り付け手順の一例について図３および図４を参照して説明する。まず、第１工程では、表示器１０の側面１０ｃおよび側面１０ｄにそれぞれ取り付け部３０を固定する。第１固定部３１が側面１０ｃと平行となるように、取り付け部３０を側面１０ｃの横に位置させて、第１固定部３１における２つの第１長孔３１１と側面１０ｃにおける２つの側面ネジ孔１２とを各々を一致させる。そして、第１長孔３１１の端部と側面ネジ孔１２とにネジ４０を挿通させることで、取り付け部３０と側面１０ｃとを固定する。側面１０ｄにおいても、同様にしてネジ４０により取り付け部３０と側面１０ｄとを固定する。
【００３３】
つぎに、第２工程では、表示器１０に固定された２つの取り付け部３０を操作盤２０の前面板２０ａの内面に取り付ける。操作盤２０の前面板２０ａにおける４つの雄ネジ２２の各々に、取り付け部３０の第２固定部３２における第１丸孔３２１を挿通させる。そして、各々の雄ネジ２２にナット５０を取り付けて締めることで取り付け部３０を操作盤２０の前面板２０ａに固定する。これにより、複雑な微調整を行うことなく表示パネル１１の表示面と前面板２０ａの外面とを同一平面上に位置させて、容易に表示器１０を操作盤２０の前面板２０ａへ固定することができる。
【００３４】
なお、上記においては操作盤２０の筐体を構成する６面が金属板により構成されている場合について示したが、筐体の材料は金属に限らず、筐体として必要な剛性を有する材料であれば合成樹脂等の他の材料が用いられてもよい。
【００３５】
また、上記においては、取り付け部３０が金属材料により構成されている場合について示したが、取り付け部３０の材料は金属に限らず、表示器１０と操作盤２０とを固定するために必要な剛性を有する材料であれば合成樹脂等の他の材料が用いられてもよい。
【００３６】
また、上記においては、操作盤２０の前面板２０ａの内面に設けられた雄ネジ２２を、取り付け部３０の第２固定部３２に設けられた第１丸孔３２１に挿通してナット５０で固定する場合について示したが、取り付け部３０の前面板２０ａへの固定方法は、これに限定されない。すなわち、雌ネジを前面板２０ａの内面に設けて、前面板２０ａの内面側から雄ネジを取り付け部３０の第２固定部３２の第１丸孔３２１と前面板２０ａの雌ネジとに挿通することにより、取り付け部３０を前面板２０ａに固定してもよい。
【００３７】
上述したように、本実施の形態１にかかる表示器の取り付け構造においては、表示器１０とネジ固定するために取り付け部３０に穿設された第１長孔３１１が、前後方向、すなわち表示器１０の厚み方向に対応する方向に伸長する長孔とされている。これにより、第１長孔３１１の長手方向の範囲内でネジ４０を挿通する位置を変化させることができる。したがって、本実施の形態１にかかる表示器の取り付け構造は、前面板２０ａの厚みの異なる複数種類の操作盤２０に対して前後方向における表示器の取り付けを調整することができる。これにより、本実施の形態１にかかる表示器の取り付け構造は、表示パネル１１の表示面と操作盤２０の盤面である前面板２０ａの外面とを同一平面上に位置させて同一の表示器１０を固定することが可能である。
【００３８】
また、前面板２０ａの厚みが予め設定された既定の厚みである特定の操作盤２０に表示器１０を固定する場合には、取り付け部３０の第１長孔３１１の端部にネジ４０を挿通することで、第１長孔３１１内でネジ４０を挿通する位置をずらす微調整をすることなく、表示パネル１１の表示面と操作盤２０の盤面である前面板２０ａの外面とを同一平面上に位置させて同一の表示器１０を固定することが可能である。
【００３９】
また、取り付け部３０に穿設された第１丸孔３２１は第１長孔３１１と同一間隔で複数個穿設されているため、操作盤２０に設ける雄ネジ２２の位置を変更することなく、ネジ４０を挿通させる長孔を第１長孔３１１から第２長孔３１２に変更することが可能となる。
【００４０】
また、前後方向における取り付け部３０の位置を変更するためにネジ４０を挿通する長孔を第１長孔３１１と第２長孔３１２との間で変更すると、表示器１０の側面の長手方向における取り付け部３０の位置が第１長孔３１１と第２長孔３１２との間隔分だけ移動することになる。しかしながら、第１長孔３１１と第２長孔３１２とにより対応できる、前後方向における取り付け部３０の位置の変動量を、第１固定部３１に形成された複数の丸孔により構成した場合に比べて、必要な孔の数が減る。これにより、表示器１０の側面の長手方向において、取り付け部３０が表示器１０の外形より飛び出しにくくなり、操作盤２０内のスペースに制約がある場合においても省スペースで表示器１０を取り付け可能となる。
【００４１】
したがって、本実施の形態１にかかる表示器の取り付け構造は、操作盤２０への表示器１０の取り付け時に、表示器１０を前後に移動可能であるため、操作盤２０の前面板２０ａの厚みに合わせて、表示器１０の表示面と操作盤２０の盤面である前面板２０ａの外面とを前後方向において一致するように調節できる。そして、前面板２０ａの厚みが予め設定された既定の厚みである特定の操作盤２０に表示器１０を固定する場合には、表示器１０の表示面と操作盤２０の盤面である前面板２０ａの外面とを前後方向において一致させる調整が不要であり、表示器１０と操作盤２０との位置合わせが容易になる。
【００４２】
実施の形態２．
実施の形態２では、実施の形態１における表示器１０の取り付け側面と取り付け部３０の第１固定部３１とに、位置合わせ用の印を設ける場合について説明する。図１２は、本発明の実施の形態２における表示器１０の取り付け側面と取り付け部３０の第１固定部３１との固定部の拡大図である。
【００４３】
図１２に示すように、取り付け部３０の第１固定部３１における表示器１０と当接する第１面と対向する対向面である第２面３１ａには、表示器１０の取り付け側面に対する取り付け部３０の取り付け位置を合わせるための印３３が設けられている。印３３は、第２面３１ａの一端側において、第１長孔３１１よりも一端側の外周縁部に設けられている。印３３は、三角形状を有し、１つの頂点３３ａが第１固定部３１の一端側を向いている。
【００４４】
また、図１２に示すように、取り付け部３０の第１固定部３１と当接する表示器１０の取り付け側面である側面１０ｄには、目盛１３が設けられている。目盛１３は、表示器１０を取り付ける操作盤２０の前面板２０ａの厚みと、予め設定された既定の厚みと、の厚みの差に対応する複数の目盛りが表示されている。印３３および目盛１３は、前後方向における取り付け部３０の位置を識別するための印である。
【００４５】
そして、目盛１３における、表示器１０を取り付ける操作盤２０の前面板２０ａの厚みと、予め設定された既定の厚みとの差に対応する目盛りの位置に、印３３の頂点３３ａを合わせることにより、表示パネル１１の表示面と前面板２０ａの外面とを同一平面上に位置させることができる。すなわち、前面板２０ａの内面側から取り付け部３０の印３３と側面１０ｄの目盛１３との位置を合わせるだけで、前面板２０ａ側から確認することなく、表示パネル１１の表示面の位置を前面板２０ａの外面と同一の位置に位置合わせすることが可能となる。
【００４６】
前面板２０ａの厚みが予め設定された既定の厚みでない場合は、第１長孔３１１の端部にネジ４０を挿通することによる表示器１０の位置合わせはできない。この場合は、操作盤２０の前面側において表示パネル１１の表示面と前面板２０ａの外面との位置関係を見ながら、操作盤２０の背面側で第１長孔３１１にネジ４０を締結する位置を調整する必要がある。
【００４７】
これに対して、上述した印３３と目盛１３とを用いることにより、複雑な作業を行うことなく、容易に表示パネル１１の表示面の位置を前面板２０ａの外面と同一の位置に位置合わせすることが可能となる。
【００４８】
したがって、実施の形態２によれば、前面板２０ａの厚みが予め設定された既定の厚みでない操作盤２０に表示器１０を取り付ける場合においても、複雑な作業を行うことなく、容易に表示パネル１１の表示面の位置を前面板２０ａの外面と同一の位置に位置合わせすることが可能となる。
【００４９】
なお、印３３を表示器１０に設けて、目盛１３を取り付け部３０の第１固定部３１に設けてもよい。この場合も、複雑な作業を行うことなく、容易に表示パネル１１の表示面の位置を前面板２０ａの外面と同一の位置に位置合わせすることが可能となる。
【００５０】
実施の形態３．
実施の形態１では、取り付け部３０の第１長孔３１１と第２長孔３１２を個別に構成する場合について説明したが、第１長孔３１１と第２長孔３１２をつないだ構成としてもよい。図１３は、本発明の実施の形態３における第３長孔３４が形成された第１固定部３１の拡大図である。図１３に示すように、取り付け部３０の第１固定部３１には、実施の形態１における第１長孔３１１と第２長孔３１２とを連通させて拡大した形状を有する第３長孔３４が形成されている。第３長孔３４は、第１固定部３１の長手方向においてネジ４０を移動可能に第１固定部３１の長手方向に伸長している。すなわち、第３長孔３４は、丸孔と比べて表示器１０の厚み方向に伸長するとともに、表示器１０の厚み方向と交差する方向に伸長している。
【００５１】
取り付け部３０の第１固定部３１に第３長孔３４を設けることにより、第１固定部３１の長手方向においてネジ４０を挿通する位置を変更する際に、ネジ４０を長孔から完全に取り外さなくてもネジ４０を移動できる。すなわち、第３長孔３４における第１長孔３１１に対応する位置と第２長孔３１２に対応する位置との間で、ネジ４０を長孔から完全に取り外さなくてもネジ４０を移動できる。このため、取り付け部３０を表示器１０に取り付ける操作が簡単になる。
【００５２】
図１４は、本発明の実施の形態３における第４長孔３５が形成された第１固定部３１の拡大図である。図１４に示すように、第４長孔３５は、第１固定部３１の長手方向において、中央側から一端側に向かうにつれて上下方向における開口位置が上部から下部に向かってずれた段差形状を有する。第４長孔３５は、第１固定部３１の長手方向においてネジ４０を移動可能に第１固定部３１の長手方向に伸長している。すなわち、第４長孔３５は、丸孔と比べて表示器１０の厚み方向に伸長するとともに、表示器１０の厚み方向と交差する方向に伸長している。
【００５３】
取り付け部３０の第１固定部３１に第４長孔３５を設けることにより、第１固定部３１の長手方向においてネジ４０を挿通する位置を変更する際に、ネジ４０を長孔から完全に取り外さなくてもネジ４０を移動できる。このため、取り付け部３０を表示器１０に取り付ける操作が簡単になる。
【００５４】
したがって、実施の形態３によれば、取り付け部３０を表示器１０に取り付ける際の作業性が向上する。
【００５５】
実施の形態４．
図１５は、本発明の実施の形態４にかかる型紙６０を使用した表示器１０への取り付け部３０の位置合わせを模式的に示す側面図である。図１６は、本発明の実施の形態４にかかる型紙６０の平面図である。型紙６０は、前面板２０ａの厚みが既定の厚みでない場合に、表示パネル１１の表示面が操作盤２０の前面板２０ａの外面と同一平面上に位置するように、取り付け部３０の第１長孔３１１にネジ４０を挿通させる位置を調節するための挿通位置調整部品である。型紙６０は、複数の薄いシート状積層部材が積層された積層構造を有して板状に形成されている。そして、型紙６０は、既定の厚みで形成された状態からシート状積層部材を１枚ずつ剥離することにより厚みを調整可能とされている。
【００５６】
型紙６０は、操作盤２０の前面板２０ａの開口部２１と同じ形状および寸法の開口部６１を中央領域に有する。なお、開口部６１は、表示パネル１１の面方向において表示パネル１１を包含できる形状および寸法であればよい。なお、ここではシート状積層部材として紙を使用しているが、シート状積層部材は樹脂フィルム等の他の材料から構成されていてもよい。
【００５７】
型紙６０を使用して表示器１０への取り付け部３０の位置合わせをする場合は、まず第３工程において、面方向において表示パネル１１を包含する開口部を有して板状に構成されて盤面と同じ厚みを有する型紙６０を平坦面上に配置する。すなわち、表示器１０を取り付ける操作盤２０の前面板２０ａの厚みと同一になるように型紙６０の厚みを調整する。つぎに、厚みが調整された型紙６０を平坦面上に配置する。そして、第４工程において、表示パネル１１の表示面を盤面の開口部に嵌め込んで、表示パネル１１の表示面を盤面の開口部内において平坦面に当接させる。すなわち、表示パネル１１の表示面を平坦面に当接させた状態で、型紙６０の開口部６１に表示器１０の表示パネル１１を嵌め込んで配置する。
【００５８】
つぎに、第５工程において、第１固定部３１を表示器の側面に当接させ、且つ第２固定部３２の下面を型紙６０の上面に当接させて取り付け部を配置し、取り付け部３０における第１長孔３１１および側面ネジ孔１２にネジ４０を挿通して第１固定部３１を表示器１０の側面に固定する。すなわち、取り付け部３０の第１固定部３１が表示器１０の側面１０ｄに接し、且つ取り付け部３０の第２固定部３２の下面が型紙６０の上面に接するように、取り付け部３０を側面１０ｄの横に配置する。そして、表示器１０における側面ネジ孔１２と第１固定部３１における第１長孔３１１にネジ４０を挿通させて取り付け部３０を表示器１０の側面１０ｄに固定する。これにより、表示パネル１１の表示面の位置と前面板２０ａの外面とを同一平面上の位置に位置合わせすることができる。表示器１０の側面１０ｃについても、同様にして取り付け部３０を位置合わせして固定する。
【００５９】
その後、型紙６０から表示器１０を取り外し、実施の形態１の場合と同様に表示器１０を操作盤２０の前面板２０ａに固定する。
【００６０】
実施の形態１において、前面板２０ａの厚みが既定の厚みでない場合は、取り付け部３０の第１長孔３１１の範囲内でネジ４０を挿通させる位置の調節が必要である。そこで、上記のように操作盤２０の前面板２０ａの厚みと同一の厚みに調整した型紙６０を用いることにより、取り付け部３０の第１長孔３１１のネジ４０を挿通させる位置を調整することなく、容易に表示パネル１１の表示面の位置を操作盤２０の前面板２０ａの外面と同一の位置に位置合わせすることができる。
【００６１】
また、前面板２０ａの厚みが既定の厚みではなく、表示器１０を取り付ける操作盤２０の前面板２０ａが垂直面である場合または操作盤２０内が狭い場合には、表示パネル１１の表示面を操作盤２０の前面板２０ａに位置合わせするための第１長孔３１１の位置調整の作業がしにくい場合がある。本実施の形態４によれば、表示パネル１１の表示面を操作盤２０の前面板２０ａに位置合わせして取り付け部３０を表示器１０の側面１０ｄに固定する作業は、操作盤２０外の平坦面上で可能であり、作業性が改善される。
【００６２】
したがって、本実施の形態４によれば、前面板２０ａの厚みが予め設定された既定の厚みでない操作盤２０に表示器１０を取り付ける場合においても、複雑な作業を行うことなく、容易に表示パネル１１の表示面の位置を前面板２０ａの外面と同一の位置に位置合わせすることが可能となる。
【００６３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６４】
１０  表示器、１０ａ  前面、１０ｂ  背面板、１０ｃ，１０ｄ  側面、１１  表示パネル、１１ａ  前面、１２  側面ネジ孔、１３  目盛、２０  操作盤、２０ａ  前面板、２１  開口部、２２  雄ネジ、３０  取り付け部、３１  第１固定部、３１ａ  第２面、３２  第２固定部、３３  印、３３ａ  頂点、３４  第３長孔、３５  第４長孔、４０  ネジ、５０  ナット、６０  型紙、３１１  第１長孔、３１２  第２長孔、３２１  第１丸孔、３２２  第２丸孔。
【図１】
2017094127.tif 000003
【図２】
2017094127.tif 000004
【図３】
2017094127.tif 000005
【図４】
2017094127.tif 000006
【図５】
2017094127.tif 000007
【図６】
2017094127.tif 000008
【図７】
2017094127.tif 000009
【図８】
2017094127.tif 000010
【図９】
2017094127.tif 000011
【図１０】
2017094127.tif 000012
【図１１】
2017094127.tif 000013
【図１２】
2017094127.tif 000014
【図１３】
2017094127.tif 000015
【図１４】
2017094127.tif 000016
【図１５】
2017094127.tif 000017
【図１６】
2017094127.tif 000018
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
厚み方向において前面に突出する表示パネルを、盤面の内面側より前記盤面の開口部に嵌め込んで取り付ける表示器の盤面取り付け構造であって、
前記表示器の側面および前記盤面の内面に介在させる取り付け部は、前記表示器の厚み方向に延伸した長孔を有して前記表示器の側面に固定される第１固定部と、該第１固定部から延設された第２固定部とを有し、
前記長孔を挿通する螺合部材により前記表示器の側面と前記第１固定部とを固定する際に、前記盤面の開口部に対する前記表示パネルの、前記表示器の厚み方向の位置の調整を可能とすること、
を特徴とする表示器の盤面取り付け構造。
【請求項２】
前記表示器の側面に設けられた側面孔および前記長孔における長手方向の端部に前記螺合部材が挿通されて固定されており、且つ既定の厚みを有する前記盤面に前記第２固定部が固定された状態で、前記開口部に嵌め込まれた前記表示パネルの表示面と前記盤面の外面とが同一平面上にあること、
を特徴とする請求項１に記載の表示器の盤面取り付け構造。
【請求項３】
前記表示器の厚み方向における異なる位置に前記端部を有する複数の前記長孔を備えること、
を特徴とする請求項２に記載の表示器の盤面取り付け構造。
【請求項４】
前記表示器の厚み方向における前記第１固定部の位置を識別するための印を前記表示器の側面および前記第１固定部に備えること、
を特徴とする請求項１から３のいずれか１つに記載の表示器の盤面取り付け構造。
【請求項５】
前記長孔が、前記表示器の厚み方向と交差する方向に伸長していること、
を特徴とする請求項１から３のいずれか１つに記載の表示器の盤面取り付け構造。
【請求項６】
厚み方向において前面に突出する表示パネルを盤面の内面側より盤面の開口部に嵌め込んで、表示器の側面および前記盤面の内面に介在させる取り付け部により取り付ける表示器の盤面取り付け方法であって、
前記取り付け部において前記表示器の厚み方向に延伸した長孔を有して前記表示器の側面に固定される第１固定部の前記長孔および前記表示器の側面に設けられた側面孔に螺合部材を挿通して前記第１固定部を前記表示器の側面に固定する第１工程と、
前記取り付け部において前記盤面の内面に固定される盤面固定部を有して前記第１固定部から延設された第２固定部を前記盤面の内面に固定する第２工程と、
を含み、
前記第１工程において前記長孔を挿通する螺合部材により前記表示器の側面と前記第１固定部とを固定する際に、前記盤面の開口部に対する前記表示パネルの、前記表示器の厚み方向の位置の調整を行うこと、
を特徴とする表示器の盤面取り付け方法。
【請求項７】
前記表示器の側面に設けられた前記側面孔および前記長孔における端部に前記螺合部材が挿通されて前記第１固定部と前記側面とが当接した状態で固定され、且つ既定の厚みを有する前記盤面に前記第２固定部が固定された状態で、前記表示パネルの表示面と前記盤面の外面とが同一平面上にある位置に、前記長孔における端部が設けられており、
前記第１工程では、前記長孔における端部に前記螺合部材を挿通すること、
を特徴とする請求項６に記載の表示器の盤面取り付け方法。
【請求項８】
前記第１工程は、
面方向において前記表示パネルを包含する開口部を有して板状に構成されて前記盤面と同じ厚みを有する挿通位置調整部品を平坦面上に配置する第３工程と、
前記表示パネルの表示面を前記盤面の開口部に嵌め込んで、前記表示パネルの表示面を前記盤面の開口部内において前記平坦面に当接させる第４工程と、
前記第１固定部を前記表示器の側面に当接させ、且つ前記第２固定部の下面を前記挿通位置調整部品の上面に当接させて前記取り付け部を配置し、前記取り付け部における長孔および前記側面孔に前記螺合部材を挿通して前記第１固定部を前記表示器の側面に固定する第５工程と、
を有することを特徴とする請求項６に記載の表示器の盤面取り付け方法。
【請求項９】
前記挿通位置調整部品は、複数のシート状積層部材が積層された積層構造を有し、
前記第３工程では、前記シート状積層部材を剥がすことにより前記挿通位置調整部品の厚みを調整すること、
を特徴とする請求項８に記載の表示器の盤面取り付け方法。
【手続補正２】
【補正対象書類名】明細書
【補正対象項目名】０００６
【補正方法】変更
【補正の内容】
【０００６】
上述した課題を解決し、目的を達成するために、本発明にかかる表示器の盤面取り付け構造は、厚み方向において前面に突出する表示パネルを、盤面の内面側より盤面の開口部に嵌め込んで取り付ける表示器の盤面取り付け構造であって、表示器の側面および盤面の内面に介在させる取り付け部は、表示器の厚み方向に延伸した長孔を有して表示器の側面に固定される第１固定部と、該第１固定部から延設された第２固定部とを有する。そして、表示器の盤面取り付け構造は、長孔を挿通する螺合部材により表示器の側面と第１固定部とを固定する際に、開口部に対する表示パネルの盤面の、表示器の厚み方向の位置の調整を可能とする。
【手続補正３】
【補正対象書類名】明細書
【補正対象項目名】００１１
【補正方法】変更
【補正の内容】
【００１１】
実施の形態１にかかる表示器の盤面取り付け構造は、前面に表示パネル１１が突出して設けられた表示器１０を、表示パネル１１を操作盤２０の前面板２０ａの開口部２１に嵌め込んで取り付けるための構造であり、表示器１０および操作盤２０に加え、表示器１０と操作盤２０とを固定する取り付け部３０を有する。操作盤２０の筐体は、直方体形状を有する。操作盤２０の直方体形状を構成する６面のうち、図１の紙面手前側の操作盤２０の前面板２０ａが、表示器１０が取り付けられた盤面とされている。表示器１０は、取り付け部３０とネジ４０とナット５０とを用いて操作盤２０に固定されている。表示器１０は、前面１０ａおよび背面板１０ｂが操作盤２０の前面板２０ａと平行な面とされて、且つ表示パネル１１の表示面である表示パネル１１の前面１１ａが操作盤２０の前面板２０ａの外面と同一平面上に配置されている。すなわち、表示器１０は、表示パネル１１の表示面と盤面の外面とが面一とされ、すなわち表示パネル１１の表示面と盤面の外面とが同一平面上に位置し、表示パネル１１が操作盤２０の前面に露出した状態で操作盤２０に固定されている。
【手続補正４】
【補正対象書類名】明細書
【補正対象項目名】００１５
【補正方法】変更
【補正の内容】
【００１５】
開口部２１は、表示パネル１１の面方向における外形形状および外形寸法に合わせた開口形状および開口寸法を有する。本実施の形態１では、表示パネル１１の外形形状は長方形状とされている。したがって、開口部２１の開口形状は、表示パネル１１の外形形状に合わせた長方形状の角孔とされている。
【手続補正５】
【補正対象書類名】明細書
【補正対象項目名】００２９
【補正方法】変更
【補正の内容】
【００２９】
また、第２固定部３２は、長さ方向における一端側の端部近傍および他端側の端部近傍に、一対のネジ孔である第２丸孔３２２を有する。一対の第２丸孔３２２は、第２固定部３２の長さ方向において、一対の第１丸孔３２１間の間隔と同じ既定の間隔で形成されている。第２固定部３２の長さ方向において、一対の第２丸孔３２２の配置間隔および一対の第１丸孔３２１の配置間隔は、操作盤２０の前面板２０ａの内面に設けられた一対の雄ネジ２２の配置間隔と同じである。すなわち、第２丸孔３２２は、第１長孔３１１と同一個数および同一間隔で穿設されている。
【手続補正６】
【補正対象書類名】明細書
【補正対象項目名】００３７
【補正方法】変更
【補正の内容】
【００３７】
上述したように、本実施の形態１にかかる表示器の取り付け構造においては、表示器１０にネジ固定するために取り付け部３０に穿設された第１長孔３１１が、前後方向、すなわち表示器１０の厚み方向に対応する方向に伸長する長孔とされている。これにより、第１長孔３１１の長手方向の範囲内でネジ４０を挿通する位置を変化させることができる。したがって、本実施の形態１にかかる表示器の取り付け構造は、前面板２０ａの厚みの異なる複数種類の操作盤２０に対して前後方向における表示器の取り付けを調整することができる。これにより、本実施の形態１にかかる表示器の取り付け構造は、表示パネル１１の表示面と操作盤２０の盤面である前面板２０ａの外面とを同一平面上に位置させて同一の表示器１０を固定することが可能である。
【手続補正７】
【補正対象書類名】明細書
【補正対象項目名】００５７
【補正方法】変更
【補正の内容】
【００５７】
型紙６０を使用して表示器１０への取り付け部３０の位置合わせをする場合は、まず第３工程において、面方向において表示パネル１１を包含する開口部６１を有して板状に構成されて盤面と同じ厚みを有する型紙６０を平坦面上に配置する。すなわち、表示器１０を取り付ける操作盤２０の前面板２０ａの厚みと同一になるように型紙６０の厚みを調整する。つぎに、厚みが調整された型紙６０を平坦面上に配置する。そして、第４工程において、表示パネル１１の表示面を盤面の開口部６１に嵌め込んで、表示パネル１１の表示面を盤面の開口部内において平坦面に当接させる。すなわち、表示パネル１１の表示面を平坦面に当接させた状態で、型紙６０の開口部６１に表示器１０の表示パネル１１を嵌め込んで配置する。
【手続補正８】
【補正対象書類名】明細書
【補正対象項目名】００５８
【補正方法】変更
【補正の内容】
【００５８】
つぎに、第５工程において、第１固定部３１を表示器１０の側面に当接させ、且つ第２固定部３２の下面を型紙６０の上面に当接させて取り付け部３０を配置し、取り付け部３０における第１長孔３１１および側面ネジ孔１２にネジ４０を挿通して第１固定部３１を表示器１０の側面に固定する。すなわち、取り付け部３０の第１固定部３１が表示器１０の側面１０ｄに接し、且つ取り付け部３０の第２固定部３２の下面が型紙６０の上面に接するように、取り付け部３０を側面１０ｄの横に配置する。そして、表示器１０における側面ネジ孔１２と第１固定部３１における第１長孔３１１にネジ４０を挿通させて取り付け部３０を表示器１０の側面１０ｄに固定する。これにより、表示パネル１１の表示面の位置と前面板２０ａの外面とを同一平面上の位置に位置合わせすることができる。表示器１０の側面１０ｃについても、同様にして取り付け部３０を位置合わせして固定する。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
厚み方向において前面に突出する表示パネルを、盤面の内面側より前記盤面の開口部に嵌め込んで取り付ける表示器の盤面取り付け構造であって、
前記表示器の側面および前記盤面の内面に介在させる取り付け部は、前記表示器の厚み方向に延伸した長孔を有して前記表示器の側面に固定される第１固定部と、該第１固定部から延設された第２固定部とを有し、
前記長孔を挿通する螺合部材により前記表示器の側面と前記第１固定部とを固定する際に、前記盤面の開口部に対する前記表示パネルの、前記表示器の厚み方向の位置の調整を可能とすること、
を特徴とする表示器の盤面取り付け構造。
【請求項２】
前記表示器の側面に設けられた側面孔および前記長孔における長手方向の端部に前記螺合部材が挿通されて固定されており、且つ既定の厚みを有する前記盤面に前記第２固定部が固定された状態で、前記開口部に嵌め込まれた前記表示パネルの表示面と前記盤面の外面とが同一平面上にあること、
を特徴とする請求項１に記載の表示器の盤面取り付け構造。
【請求項３】
前記表示器の厚み方向における異なる位置に前記端部を有する複数の前記長孔を備えること、
を特徴とする請求項２に記載の表示器の盤面取り付け構造。
【請求項４】
前記表示器の厚み方向における前記第１固定部の位置を識別するための印を前記表示器の側面および前記第１固定部に備えること、
を特徴とする請求項１から３のいずれか１つに記載の表示器の盤面取り付け構造。
【請求項５】
前記長孔が、前記表示器の厚み方向と交差する方向に伸長していること、
を特徴とする請求項１から３のいずれか１つに記載の表示器の盤面取り付け構造。
【請求項６】
厚み方向において前面に突出する表示パネルを盤面の内面側より盤面の開口部に嵌め込んで、表示器の側面および前記盤面の内面に介在させる取り付け部により取り付ける表示器の盤面取り付け方法であって、
前記取り付け部において前記表示器の厚み方向に延伸した長孔を有して前記表示器の側面に固定される第１固定部の前記長孔および前記表示器の側面に設けられた側面孔に螺合部材を挿通して前記第１固定部を前記表示器の側面に固定する第１工程と、
前記取り付け部において前記盤面の内面に固定される盤面固定部を有して前記第１固定部から延設された第２固定部を前記盤面の内面に固定する第２工程と、
を含み、
前記第１工程において前記長孔を挿通する螺合部材により前記表示器の側面と前記第１固定部とを固定する際に、前記盤面の開口部に対する前記表示パネルの、前記表示器の厚み方向の位置の調整を行うこと、
を特徴とする表示器の盤面取り付け方法。
【請求項７】
前記表示器の側面に設けられた前記側面孔および前記長孔における端部に前記螺合部材が挿通されて前記第１固定部と前記側面とが当接した状態で固定され、且つ既定の厚みを有する前記盤面に前記第２固定部が固定された状態で、前記表示パネルの表示面と前記盤面の外面とが同一平面上にある位置に、前記長孔における端部が設けられており、
前記第１工程では、前記長孔における端部に前記螺合部材を挿通すること、
を特徴とする請求項６に記載の表示器の盤面取り付け方法。
【請求項８】
前記第１工程は、
面方向において前記表示パネルを包含する開口部を有して板状に構成されて前記盤面と同じ厚みを有する挿通位置調整部品を平坦面上に配置する第３工程と、
前記表示パネルの表示面を前記挿通位置調整部品の開口部に嵌め込んで、前記表示パネルの表示面を前記挿通位置調整部品の開口部内において前記平坦面に当接させる第４工程と、
前記第１固定部を前記表示器の側面に当接させ、且つ前記第２固定部の下面を前記挿通位置調整部品の上面に当接させて前記取り付け部を配置し、前記取り付け部における長孔および前記側面孔に前記螺合部材を挿通して前記第１固定部を前記表示器の側面に固定する第５工程と、
を有することを特徴とする請求項６に記載の表示器の盤面取り付け方法。
【請求項９】
前記挿通位置調整部品は、複数のシート状積層部材が積層された積層構造を有し、
前記第３工程では、前記シート状積層部材を剥がすことにより前記挿通位置調整部品の厚みを調整すること、
を特徴とする請求項８に記載の表示器の盤面取り付け方法。
【手続補正２】
【補正対象書類名】明細書
【補正対象項目名】００５７
【補正方法】変更
【補正の内容】
【００５７】
型紙６０を使用して表示器１０への取り付け部３０の位置合わせをする場合は、まず第３工程において、面方向において表示パネル１１を包含する開口部を有して板状に構成されて盤面と同じ厚みを有する型紙６０を平坦面上に配置する。すなわち、表示器１０を取り付ける操作盤２０の前面板２０ａの厚みと同一になるように型紙６０の厚みを調整する。つぎに、厚みが調整された型紙６０を平坦面上に配置する。そして、第４工程において、表示パネル１１の表示面を挿通位置調整部品の開口部に嵌め込んで、表示パネル１１の表示面を挿通位置調整部品の開口部内において平坦面に当接させる。すなわち、表示パネル１１の表示面を平坦面に当接させた状態で、型紙６０の開口部６１に表示器１０の表示パネル１１を嵌め込んで配置する。
【国際調査報告】
2017094127.tif 000019
2017094127.tif 000020
2017094127.tif 000021
2017094127.tif 000022